Podtech/llm-jp-corpus-v4-ja_patent huggingface dataset:
(57)【要約】      （修正有）【課題】タンクに水を入れて、リードと接続して犬をつなぐ、水を入れて使用する移動ができる犬つなぎ器を提供する。【解決手段】  タンク１に給水口３と取っ手５を設け、取っ手５にフック６を取り付け、タンク１に水を入れ、フック６でリードを接続することを特徴とする水を入れて使用する移動ができる犬つなぎ器。【選択図】  図１
2006061140.tif 000002
【特許請求の範囲】
【請求項１】
タンクに給水口と取っ手を設け、フックを取り付け、タンクに水を入れ、フックでリードを接続することを特徴とする水を入れて使用する移動ができる犬つなぎ器。
【請求項２】
タンクを蛇腹にした請求項１の水を入れて使用する移動ができる犬つなぎ器。
【請求項３】
タンクの蓋に高さを設けリードが掛けられる請求項２の水を入れて使用する移動ができる犬つなぎ器。
【発明の詳細な説明】
【技術分野】
【０００１】  本発明はタンク部分に水を入れて、リードと接続して犬をつなぐための、水を入れて使用する移動ができる犬つなぎ器に関するものである。
【背景技術】
【０００２】  従来、犬つなぎ器はあったが、土に埋め込むタイプや、コンクリート製の固定型であり、移動がしにくかった。又、携帯できる犬つなぎ器はなかった。室内犬の場合は、来客等の時はケージに入れていた。
【発明の開示】
【発明が解決しようとする課題】
【０００３】  そのために、次のような問題点があった。
季節によって、つなぐ場所を変えたい時もコンクリート製は重く、埋め込みタイプは土がない所では使用できなかった。
ペットを連れて車で出かけると、ドアを開けたとたんに飛び出したり、他の犬とトラブルを起こしたり、運転に支障をきたすこともあった。
ケージに入れたままだとペットもストレスがたまりやすかった。
本発明は以上の問題点を解決しようとするものである。
【課題を解決するための手段】
【０００４】  タンクに給水口と取っ手を設け、取っ手にフックを取り付ける。そして、タンクに水を入れ、フックでリードを接続して犬をつなぐ。
以上を特徴とする水を入れて使用する移動ができる犬つなぎ器である。
【発明の効果】
【０００５】  本発明は、タンクに水を入れて犬をつなぎ、取っ手を持って移動ができるので、家の内外で使用でき、ドライブやキャンプ等にも携帯しやすい。水はペットの重さに合わせて量を加減することができ、万が一、水がなくなっても蓋を皿にして、飲み水として与えることができる。したがって、つなぐ所がない時や、水が少ないときも慌てることがない。
【発明を実施するための最良の形態】
【０００６】  以下、本発明の実施の形態を説明する。
（イ）タンク（１）に、ネジ部（２）のある給水口（３）を設ける。
（ロ）ネジ付き蓋（４）に取っ手（５）を設ける。
（ハ）取っ手（５）に可動式のフック（６）を取り付ける。
本発明は以上の構成よりなっている。
本発明を使用するときは、タンク（１）に給水口（３）から水を入れ、ネジ付き蓋（４）で閉じ、リードの持ち手の輪の部分をフック（６）で留めて犬をつなぎ、取っ手を持って移動ができる。
この結果、部屋の内外や車の中、キャンプ等の時、つなぐ場所がないところでも使用することができる。したがって、飛び出して事故に遭ったり、行方不明になることもない。又、万が一の時は、蓋を皿にして水を飲ませることもできるので安心してペット共にアウトドアライフを楽しむことができる。
【図面の簡単な説明】
【０００７】
【図１】本発明の分離斜視図
【図２】本発明の使用状態を示す斜視図
【符号の説明】
【０００８】  １．  タンク
２．  ネジ部
３．  給水口
４．  ネジ付き蓋
５．  取っ手
６．  フック
【図１】
2006061140.tif 000003
【図２】
2006061140.tif 000004
(57)【要約】【課題】  さくらんぼ、ブルーベリー、桃などの果実、米、そばなどの穀物、鮎などの魚を鳥による食害から堅牢、安価で効果的な装置により防止するものである。【解決手段】  駆動モータを使用して回転アームを介して、てこの一端に長い細棒を付けたものをシーソーのように揺動させるものである【選択図】図２
2006061138.tif 000002
【特許請求の範囲】
【請求項１】
ベース上に駆動モータを取り付け、回転アームを介して、揺動細棒を付けたてこアームを、支点ピンを中心に、ストッパと上限ストッパの間で、シーソーのように揺動自在になるようにしたもの。
【請求項２】
請求項１の揺動細棒の先端と、近くの立ち木の枝とを釣り糸などで結んで糸を揺らすようにしたもの。
【請求項３】
請求項１において、てこアームと揺動細棒を取り去り、回転アーム先端と遠くのポールとをワイヤで結んで鳴子をぶら下げて、定期的に鳴子を鳴らすようにしたもの。
【発明の詳細な説明】
【技術分野】
【０００１】  本発明はさくらんぼ、ブルーベリー、桃、柿などの果実、米、そばなどの穀物、鮎などの魚の鳥による食害を防止する分野に関するものである。
【背景技術】
【０００２】  鳥を追い払う装置としては、古典的には案山子や鳴子がある。鷲や隼の模型を動かしたり、また風車の先端に紐やテープを取り付けてその動きで脅かすもの、大きい目玉を描いた風船で脅かすものなどがある。
近時は電磁力を発信して鳥の接近を防止するもの、定期的にあるいは赤外線センサなどで鳥の接近を検知して、プロパンガスを爆発させて爆音で追い払うもの、またこれらと単独又は同時に、模擬鳥を糸などで急激に吊り上げて脅かして、追い払うものなどがある。
【発明の開示】
【発明が解決しようとする課題】
【０００３】  従来の鳥追いでは慣れによってその効果が低減される場合があるし、効果があるものは費用が高い。爆音による方法は、人家の密集しているところでは採用できない問題もある。風車の先端に紐やテープを取り付ける方法は、機構が精緻で風による破壊という問題がある。
【課題を解決するための手段】
【０００４】  本発明は、小容量の駆動モータを使用して、てこの一端に長い細棒を付けたものをシーソーのように揺動させるものである。
【発明の効果】
【０００５】  てこを利用することによって大きな、しかも不規則に見える動きを現出し、急激で不規則に近い動きと衝突音によって、風雨による影響の少ない、堅牢、安価、効果的な鳥追いを実現するものである。
【発明を実施するための最良の形態】
【０００６】  直径２．５ミリメートル、長さ１メートル程度の揺動細棒を駆動モータ、回転アーム、てこアームで揺動させて、その急上昇する動きと、下降時にストッパに当たることによって生ずる揺動細棒の数回の反動と、その際に発生する衝突音により鳥を追い払うものである。
【実施例】
【０００７】  以下、添付図面に従って一実施例を説明する。
１は揺動細棒で溶接等によりてこアーム２に固着されている。てこアームは支点ピン３により揺動自在にベース４に支承されている。ストッパ５、上限ストッパ６はそれぞれてこアーム２の下限点、上限点を規定するように位置付けされている。回転アーム７は駆動モータ８の回転軸に取り付けられている。駆動モータはベース４にボルトで固定されている。
これを被害を防ぎたい果樹に直接取り付けたり、そばにポールを立てて取り付けたりするのである。【０００８】  このような構成で駆動モータを、図２正面図において反時計方向に毎分５〜１０回転程度で回転させる。そうすると回転アーム７は図示の点でてこアーム２に当たり、駆動モータ側を押し下げる。これによって、支点ピン３の反対側すなわち揺動細棒１側は上昇する。てこアーム２と揺動細棒１はａ：ｂ＝２０：１程度に設定しておくので、揺動細棒１の先端は急上昇することとなる。【０００９】  回転アーム７とてこアーム２はその後干渉しなくなり、揺動細棒１は自重によりゆっくりと下降する。そしてストッパ５にあたり衝突音を発生させる。このとき揺動細棒は細く、長いことによって、てこアームがストッパ５にぶつかっても揺動細棒の先端はしなってかなり下まで行過ぎる。そしてその反動で揺動細棒１とてこアーム２はまた上昇し、結局上下動は３ないし５回程度繰り返される。この動きはしなりを伴うのでかなり急激な動きとなる。さらにストッパとの衝突により衝突音が発生する。【００１０】  回転アーム７と、てこアーム２の干渉による揺動細棒１の急上昇と、その後のゆっくりとした下降と衝突音、そして更なるしなりによる速い動きと衝突音が不規則的に発生して鳥を脅かすのに十分なのである。
発明者の庭先には数株のブルーベリーがあるが、昨年食べごろになったある朝ギヤー、ギヤーという声で起きたところ、熟れた実は尾長の大群に食べ尽くされてしまった。それで実施例の試作機を作って設置したところ、その後は被害が完全に防止された。
そして秋には柿の木のそばに設置したところ、これまた被害が完全に防止されたのである。【００１１】  上記の効果をさらに高めるために、揺動細棒には黄色、銀色などの着色をしてもよい。また細棒先端に脅かし用の目玉あるいは鳴子をぶら下げてもよい。これによって駆動モータの容量アップをもたらすが、これを避けるにベースから腕を出してこの腕に鳴子をぶら下げ、これに揺動細棒を衝突させることで省エネを図ることもできる。【００１２】  夜間の運転を停止して省エネを図るために、タイマを付したり、明かり検知センサを付して夜間運転をさせないようにすることも考えられる。
また太陽光発電を利用して電線敷設なしとすることも考えられる。【００１３】  追い払う範囲を広げるために、細棒の先端と離れた立ち木の枝などとを釣り糸などで結んで、糸を揺らせて脅かすこともできる。【００１４】  さらに追い払う範囲を広げるために、てこアーム．揺動細棒を取り去り、回転アームの先端と遠く離れたポールをワイヤで結んで、鳴子をぶら下げて、定間隔でガラガラと音を出して鳥を追い払うこともできる。この場合モータ容量を大きくし、回転アームの長さも大きくした方がよいであろう。  この場合、平面的には、ワイヤは一直線ではなく、ポールを複数立てて、千鳥型配置とすることもよい。
【産業上の利用可能性】
【００１５】  上述の構成によって、さくらんぼ、桃などの高価な果樹、庭先の趣味の果樹の鳥追いはもちろん、広い田畑、果樹園などにも複数機設置して鳥害を防止することができる。また内水面の魚などの鳥害も防止することができる。
【図面の簡単な説明】
【００１６】
【図１】  本発明の一実施例の平面図を示す。
【図２】  本発明の一実施例の正面図を示す。
【図３】  本発明の一実施例の右側面図を示す。
【図４】  本発明の実施例の全体図である。
【符号の説明】
【００１７】１  揺動細棒          ６  上限ストッパ
２  てこアーム        ７  回転アーム
３  支点ピン          ８  駆動モータ
４  ベース
５  ストッパ
【図１】
2006061138.tif 000003
【図２】
2006061138.tif 000004
【図３】
2006061138.tif 000005
【図４】
2006061138.tif 000006
(57)【要約】      （修正有）【課題】野菜類の常温での長期保存と、特に調理時間の長い根物野菜の調理の短縮、ごみの軽減等を解決する方法を提供する。【解決手段】澱粉類の変質を防ぐトレハロ−ス、ポリフェノール類の酸化反応を抑えるｐＨ調整剤及び殺菌の作用のある塩化ナトリウムを含有する溶液に野菜を３０分間程漬け込み、その後、低温にてレトルトパック加工を行う。【選択図】なし【特許請求の範囲】
【請求項１】
澱粉類の変質を防ぐトレハロースと、ポリフェノール類の酸化反応を抑える働きをするｐＨ調整剤と、殺菌の働きをする塩化ナトリウムを混合した液体の中に野菜類を３０分程漬け込みその後低温でレトルト加工を行い、この相乗効果により、常温で野菜の品質保持を３ケ月間から２年間の長期保存を実現する。
【発明の詳細な説明】
【技術の分野】
【０００１】本発明は、数種類の添加物を使用して、野菜類を常温で長期の保存をさせるものである。
（背景技術）
【０００２】  現況では、野菜類の長期保存に関して、もっとも効果的な方法としては、レトルト加工が一般的方法ですが、何れにしても常温での長期保存は不可能です。この度の技術は、数種類の添加物の特性を利用して、その相乗効果をより発揮することにより、３ケ月間及び２年間の常温の長期の保存を実現させた技術です。
（発明の開示）
（発明が解決しようとする課題）
【０００３】  野菜類の常温での長期保存と、特に調理時間の長い根物野菜の調理の短縮、ごみの軽減等を解決したい。
（課題を解決するための手段）
【０００４】  本発明は、野菜の常温での長期保存、特に根物野菜長期保存に目的を置いています。トレハロース澱粉類の変質防腐剤としての効果、ｐＨ調整剤変色防止としての効果、塩化ナトリウム殺菌効果剤としての効果、この混合液に野菜を漬けこみ、その後低温でレトルトパック加工を行います。この温度管理と数種類の添加剤の持つ特性の相乗効果により、常温での品質保持と長期の保存を実現しました発明です。
（発明の効果）
【０００５】  本発明の、この技術を使った野菜を供給する事により、旬の物を季節を問わずに供給出来ることと、保存の期間が長いため災害時の備蓄食糧としての利用も出来ます。また、レトルト加工のため調理の時間も短くてすむことから、人件費の削減、光熱費、配送運送費の削減、また、生ゴミの大幅な削減にも役立つこととなります。今後、一般家庭から業務用まで幅広く使用が可能で、主流の商品になります。
（発明を実施するための最良の形態）
【０００６】  トレハロ−ス変質防止剤、ｐＨ調整剤の変色防止、塩化ナトリウムの殺菌効果剤の混合液に野菜を漬け込み、その後低温でレトルト加工を行います。この相乗効果により、常温での品質保持と長期の保存を実現しました。
（実施例１）
【０００７】  この技術を使用して、北海道産じゃがいもレトルトパックと鹿児島のさつまいもレトルトパックを商品化して販売を行っています。
(57)【要約】      （修正有）【課題】ホヤのコロニーに小さい外力を所望時間加え続けることで、ホヤ自身を損傷しないで、１個体ずつにできる装置を提供する。【解決手段】器１にホヤのコロニー７を投入し、器１の中で回転する板３にホヤのコロニー７を密着、衝突させることで１個体６ずつにできる。器内の板３はシャフトと連結されており、シャフトは電動モータ６などで回転させる。半自動化することで、労働時間の短縮、省力化と作業の効率化を計る。シャフト２を器１の上部から下部へ突き通す。シャフト２には放射状に板３を装着する。シャフト２は任意の方向へ回転する。器１に投入されたホヤのコロニー７は、回転する板３と密着、衝突を繰り返し１個体６ずつになる。器の下に穴４をあける。１個体ずつになったホヤ６が穴から落ちる。【選択図】図１
2006061143.tif 000002
【特許請求の範囲】
【請求項１】
器（１）は、すり鉢状の形状をなし、器（１）の下にホヤが５個ないし６個程度通る穴（４）をあける。
【請求項２】
シャフト（２）を器（１）の上部から下部へ突き通し、器（１）の中心で固定する。シャフト（２）には軸から外に向かい、放射状の板（３）を装着する。シャフト（２）は任意の方向へ回転できる。
【請求項３】
シャフト（２）に放射状に装着される板（３）は取り外し可能で、ホヤのコロニー（７）の大きさや堅さに応じて、板の素材を金属やゴムなどに変更できる。
【発明の詳細な説明】
【産業上の技術分野】
【０００１】この発明は海でのホヤ養殖、増殖事業での省力化及び作業の効率化に関するものである。
【技術背景】
【０００２】ホヤは生体上、コロニー（７）を形成し成熟する。従来の作業はホヤのコロニー（７）を、１個体（６）ずつにする為、手や足を使用していた。時間がかかり作業者は疲れ、効率も悪かった。
【発明が解決しようとする課題】
【０００３】本発明はその欠点を無くすため、器（１）の中で回転している放射状の板（３）と、ホヤのコロニー（７）を密着と衝突を繰り返させ、ホヤを１個体（６）ずつにする。回転数、器の形状、放射状の板の堅さ、大きさを課題として研究をすすめた。
【課題を解決するための手段】
【０００４】ホヤのコロニー（７）を１個体（６）ずつにするため、板（３）とコロニー（７）を常に密着と衝突させる事を安全に出来る様にするため、実験と理論の結果、すり鉢状の器（１）で、器（１）を貫くシャフト（２）に放射状に装着された板（３）を回転させるのが最善であることを発見した。
【作用】
【０００５】本発明は以上のような構成であるから、器（１）の中で回転している放射状の板（３）とホヤのコロニー（７）が密着と衝突を繰り返すことにより、ホヤのコロニー（７）を１個体（６）ずつにできる。
【実施例】
【０００６】季節ごとに異なるホヤの堅さの研究、回転する板の素材、枚数や形状、器の大きさや深さ、穴の大きさなど実験し試作した。
【発明の効果】
【０００７】本装置は以上の構成であるため、手作業で行われていたホヤのコロニー（７）を１個体（６）ずつにする作業を、半自動化し作業時間の短縮、省力化、能率化に寄与している。
【図面の簡単な説明】
【０００７】
【図１】本装置の構成を表す立面図である。
【図２】本装置の正面図である。
【図３】本装置の上面図である。
【図４】本装置の実施例を示す正面図である。
【図５】ホヤが成熟した時期のコロニーと、ホヤの個体を示す写真である。
【符号の説明】
【０００８】１  ホヤのコロニーを投入する器
２  回転の動力を伝達するシャフト
３  回転する板
４  ホヤが落ちる穴
５  動力源
６  成熟したホヤの１個体
７  成熟したホヤのコロニー
【図１】
2006061143.tif 000003
【図２】
2006061143.tif 000004
【図３】
2006061143.tif 000005
【図４】
2006061143.tif 000006
【図５】
2006061143.tif 000007
(57)【要約】【課題】日当りの良い塀の上に花を植えるスペースを造るため【解決手段】ブロック２を並べた塀の上部に植木鉢ブロック１を取り付ける、その植木鉢ブロック１の下部に穴があいており、その穴に鉄筋を組みコンクリートを流し込む、その植木鉢ブロック１の上部３には土を入れられるスペースを作る、その中に花を植える事が出来、植木鉢を入れる事が出来る用にする【選択図】図１
2006061149.tif 000002
【特許請求の範囲】
【請求項１】
積まれたブロック塀の上部に植木鉢ブロックを取り付ける、その植木鉢ブロックは下部に穴があいておりその穴に鉄筋とセメントを入れられる用にする、その植木鉢ブロックの上部には土を入れられるスペースを作りその中に花が植えられる用にし、また植木鉢を入れられる用にする
【発明の詳細な説明】
【技術分野】
【０００１】  本発明はブロック塀を強化する事が出来、また植木鉢として活用出来るブロックに関するものである
【背景技術】
【０００２】  従来の塀はブロックを積み上げ回りをコンクリートで固めているその上に植木鉢を乗せている家があり、危険である
【発明の開示】
【発明が解決しようとする課題】
【０００３】  解決しようとする間題点は、日当りの良い塀の上に置かれている植木鉢の代わりに花を植えられる用にするため
【課題を解決するための手段】
【０００４】  本発明はブロック塀と植木鉢がコンクリートで一体になっているので風で飛ばされる心配がなく安全である
【発明の効果】
【０００５】  本発明はブロック塀を強くするコンクリートを流し込む形枠の働きもする
【発明を実施するための最良の形態】
【０００６】  積み上げられたブロックの上に同じ用に植木鉢ブロックを乗せ鉄筋とコンクリートを流し込む
【実施例１】
【０００７】  図１は本発明のブロックと植木鉢ブロックの取り付け方を簡単に説明した図である
【産業上の利用可能性】
【０００８】  住宅の塀の上や公園の中、公園の回りなどに花を植える事が出来高い所や、狭い場所に利用できる
【図面の簡単な説明】
【０００９】
【図１】ブロックと植木鉢ブロックを示した説明図である（実施例１）
【符号の説明】
【００１０】１植木鉢ブロック
２植木鉢ブロックの上部で土か植木鉢を乗せる部分
３ブロック
４植木鉢ブロックの下部で鉄筋とコンクリートを入れる部分
【図１】
2006061149.tif 000003
(57)【要約】【課題】補虫用カバー付補虫器を提供する。【解決手段】補虫用カバーをハエ取り紙に取り付け、捕獲されたハエが直に見えないようにする。図１、図３と図５は、補虫用カバー付ハエ取り紙である。【選択図】図１
2006061146.tif 000002
【特許請求の範囲】
【請求項１】
図１のような円錐形のカバーを取り付けたハエ取り紙。円錐形のカバーの枚数はＮ枚である。Ｎは１以上の整数。Ｎ＝１，２，３，４，５・・・  図１はＮ＝３の例である。円錐形のカバーは糸で吊るされる。円錐形のカバーの色は黄色系である。
【請求項２】
図３のような多角錐形のカバー（Ｌ角錐形）を取り付けたハエ取り紙。Ｌは３以上の整数。Ｌ＝３，４，５，６・・・  図３は四角錐形のカバーの例である（Ｌ＝４）。多角錐形のカバーの枚数はＮ枚である。Ｎは１以上の整数。Ｎ＝１，２，３，４，５・・・  図３はＮ＝３の例である。  多角錐形のカバーは糸で吊るされる。多角錐形のカバーの色は黄色系である。
【請求項３】
図５のような長方形のカバーを取り付けたハエ取り紙。長方形のカバーの枚数はＭ枚である。Ｍは１以上の整数。Ｍ＝１，２，３，４，５・・・  長方形のカバーはハエ取り紙の上下に取り付けられた円形の皿部に貼り付けられている。  図５はＭ＝４の例である。長方形のカバーの色は黄色系である。
【発明の詳細な説明】
【発明の名】
補虫用カバー付補虫器
【技術分野】
【００１】  本発明は、粘着性物質の粘着力を利用して害虫を捕獲する補虫用カバー付補虫器に関するものである。
【背景技術】
【００２】  従来、ハエ等の害虫を捕獲する、粘着剤を塗布した油紙や合成フィルムで出来ているハエ取り紙はあった。このハエ取り紙は、天井から吊るして使用する。
【発明の開示】
【発明が解決しようとする課題】
【００３】  解決しようとする問題点は、従来のハエ取り紙は、粘着面が露出した状態であり、捕獲されたハエが直に見えるため、使用者等が不快に感じる点である。そのため、飲食店などでは、ハエ取り紙を使用することに躊躇する者もいた。
【課題を解決するための手段】
【００４】  そこで、本発明は、補虫用カバーをハエ取り紙に取り付け、捕獲されたハエが直に見えないようにするものである。図１、図３と図５は、補虫用カバー付ハエ取り紙である。
【発明の効果】
【００５】  補虫用カバーがハエ取り紙に取り付けているため、捕獲されたハエが直に見えなくなり、使用者等が不快に感じることはない。そのため、飲食店などで、躊躇することなく補虫用カバー付ハエ取り紙を使用することができる。
【発明を実施するための最良の形態】
【００６】  本発明は、補虫用カバーをハエ取り紙に取り付け、捕獲されたハエが直に見えないようにするものである。図１、図３と図５は、補虫用カバー付ハエ取り紙である。この補虫用カバー付ハエ取り紙を、天井から吊るして使用する。
【実施例１】
【００７】  補虫用カバーの実施例として、図１のような円錐形のカバーを取り付けたハエ取り紙。この円錐形のカバーのため、捕獲されたハエが直に見え難くなる。この円錐形のカバーは紙製材料を用いて形成される。また材質は木材、プラスチック、金属等でもよい。円錐形のカバーの枚数は１枚以上である。図１は３枚の例である。この円錐形のカバーは糸で吊るされる。一般に虫は黄色系の色を好むので、円錐形のカバーの色を黄色系にすると補虫効率が向上される。円錐形のカバーに種々の色や模様を施すと室内インテリアとしての役割も果たす。
【実施例２】
【００８】  円錐形のカバーのかわりに多角錐形のカバー（Ｌ角錐形）を用いてもよい。Ｌは３以上の整数。Ｌ＝３，４，５，６・・・図３は四角錐形のカバーの例である（Ｌ＝４）。
【実施例３】
【００９】  補虫用カバーの実施例として、図５のような長方形のカバーを取り付けたハエ取り紙。この長方形のカバーのため、捕獲されたハエが直に見え難くなる。この長方形のカバーは紙製材料を用いて形成される。また材質は木材、プラスチック、金属等でもよい。長方形のカバーの枚数は１枚以上である。図５は４枚の例である。この長方形のカバーはハエ取り紙の上下に取り付けられた円形の皿部に貼り付けられている。一般に虫は黄色系の色を好むので、長方形のカバーの色を黄色系にすると補虫効率が向上される。長方形のカバーに種々の色や模様を施すと室内インテリアとしての役割も果たす。
【産業上の利用可能性】
【０１０】  本発明は、粘着性物質の粘着力を利用して害虫を捕獲する補虫器に関するものである。
【図面の簡単な説明】
【０１１】
【図１】  本発明の斜視図である。（実施例１）
【図２】  図１の上面図。
【図３】  本発明の斜視図である。（実施例２）
【図４】  図３の上面図。
【図５】  本発明の斜視図である。（実施例３）
【図６】  図５の上面図。
【符号の説明】
【０１２】  １  ハエ取り紙
２  糸
３  円錐形のカバー
４  四角錐形のカバー
５  長方形のカバー
６  皿部
【図１】
2006061146.tif 000003
【図２】
2006061146.tif 000004
【図３】
2006061146.tif 000005
【図４】
2006061146.tif 000006
【図５】
2006061146.tif 000007
【図６】
2006061146.tif 000008
(57)【要約】【課題】使い捨て養殖池【解決手段】池１にビニールで造った円筒形のプール型養殖池２を設置します．養殖池２の上部に円形の浮袋３を取り付け、下部の方に円形の鉄パイプ５を取り付け、その鉄パイプ５に網６を張る雨が降って養殖池２の水位が上がると浮玉７が押されて水量調整口８から水が出て行く、養殖池２が汚れたらビニールをかえれば、また新しい養殖池が出来る【選択図】図１
2006061150.tif 000002
【特許請求の範囲】
【請求項１】
池にビニールで造った円筒形のプール型養殖池を設置する  養殖池の上部に円形の浮袋を取り付け下部の方には網を張った円形の鉄パイプを取り付ける、雨が降って養殖池の水位が上がると一番下の中央に付いている浮玉が押されて水が出て行く用にする  養殖池が汚れて来たらビニールだけをかえればまた新しい養殖池が出来る用にする
【発明の詳細な説明】
【技術分野】
【０００１】  本発明は使い捨てが出来る養殖池に関するものである
【背景技術】
【０００２】  外国で盛んに作られているエビの養殖池は２、３年で汚れて使えなくなっている
【発明の開示】
【発明が解決しようとする課題】
【０００３】  解決しようとする問題点は汚れて使えなくなる養殖池を永久に使える用にするため
【課題を解決するための手段】
【０００４】  本発明は養殖池をビニールで作っているため何回でも作り直しが出来る
【発明の効果】
【０００５】  本発明は使い捨てが出来る用、ビニールで作っているためいつでもきれいな養殖池が手に入るという利点がある
【発明を実施するための最良の形態】
【０００６】  本発明は池の中にもうひとつの池を作っているので頑文に作る必要がなくビニールでいいので安く簡単に作る事が可能になる
【実施例１】
【０００７】  図１は池の中にもうひとつの養殖池を設置した状態の断面を表わしたものである
【産業上の利用可能性】
【０００８】  本発明は２、３年で汚れて使えなくなっていた養殖池を永久に使える養殖場を提供する事が出来る
【図面の簡単な説明】
【０００９】
【図１】使い捨て養殖池の断面図である
【図２】使い捨て養殖池の立面図である
【符号の説明】
【００１０】１池
２使い捨て養殖池
３浮袋
４ビニール
５鉄パイプ
６網
７浮玉
８水量調整口
【図１】
2006061150.tif 000003
【図２】
2006061150.tif 000004
(57)【要約】【課題】短く使いづらくなってしまった溶接棒（ＪＩＳ銀ロウ・ＪＩＳリン銅ロウ）の為の、接続部材を提供する。【解決手段】部材（図１）の両方に２本の溶接棒（短い溶接棒又は、定尺溶接棒）を差込み。長い溶接棒となり使用できる。部材（図１）は、溶接棒と一緒に熔解していくことを特徴とする。【選択図】図４
2006061982.tif 000002
【特許請求の範囲】
【請求項１】
２本の溶接棒を容易に長く接合させるための部材（図１）
部材（図１）は、現在の溶接棒と同じ材質、同等の加工がされ、かつ、部材（図１）と溶接棒は抜けにくいので、作業時には、溶接棒と一緒に熔解されていく事が特徴としている部材（図１）
【請求項２】
現在の溶接棒の片側に部材（図１）と同じ効果を持たせる接続口を最初から加工した部材（図２）
「溶接棒」…現在、空気調和工事における冷媒配管工事、エアーコンディショナー（エアコン）製造及び修理（メンテナンス）時、冷媒管（銅又は鉄）に熱を加え接続する時に使う固体の棒状のもの（ＪＩＳ銀ロウ・ＪＩＳリン銅ロウ）である。
【発明の詳細な説明】
【技術分野】
【０００１】この発明は、短く使いづらくなった溶接棒２本を、部材（図１・図２）の接続部材により無駄なく使えるようにした。【０００２】この発明は、部材（図１）の両方から溶接棒を差込み使用できるものとした。【０００３】この発明は、現在の溶接棒と同じ材質、同等の加工により溶接棒本体と一緒に熔解していくので、従来通りの使用ができる。【０００４】部材（図１・図２）は、一度差込んだら抜けにくいものとする。
【背景技術】
【０００５】従来の定尺溶接棒は、熔解していくに連れ短くなる。その短くなった溶接棒はバーナー（図３−Ｄ）の火力（図３−Ｅ）により、熱を有しているので、腕手が熱くなり溶接棒を掴んでいられなくなる。【０００６】短くなった溶接棒は、自ら熱を加え接続し長いものとするか、工事現場などの状況により、紛失してしまったり捨ててしまうのが現況。
【非特許献文】
株式会社  東洋溶材  製品カタログ  溶接棒Ｐ２、Ｐ３
【発明の開示】
【発明が解決しようとする課題】
【０００７】そのために、次のような欠点がある。【０００８】工事現場などにおいて、短い溶接棒２本を自ら熱を加え接続し、時間がかかる。【０００９】定尺の溶接棒に対して、約２割が短く使いずらくなってしまう。溶接棒は工事現場の状況によって、短い溶接棒が紛失してしまったり、知らない間にゴミとなる事が多々ある。【００１０】価格的にも、割高な溶接棒を現場作業中に少しでも無駄なく使用したいという思いがあり、腕手が熱くなる時も、「ガマン」しながらの作業となる事が多々ある。【００１１】以上の事から、冷媒管を接続する事が多い工事現場では、作業時困難を強いられていた。
本発明は、これらの欠点を解決する為になされたものである。
【課題を解決するための手段】
【００１２】短くなった溶接棒の先端に部材（図１）の片方を差込み、もう片方に定尺溶接棒又は、短い溶接棒を差込み、新たに長い溶接棒となり、再び従来通りの使用ができる。【００１３】部材（図２）を作業時使用し、部材（図２）が短くなった時、片側には、部材（図１）と同じ効果を持つ接続口があるので、そのまま定尺部材（図２）を接続させ、長い溶接棒となり、接続して使用する。
本発明は、以上の構成からなる、接続部材である。
【発明の効果】
【００１４】この発明は、部材（図１・図２）を使用することにより、短くなった溶接棒が紛失したり、ゴミとなる事が少なくできる。【００１５】ワンタッチで接続できるので、火を使っての作業中、容易に長い溶接棒となるので、安全かつ経済的とすることができる。【００１６】部材（図２）は、これを使用する事で短くなった時に、同じ部材（図２）を差込み使用することが可能なので、部材（図２）を使用することで部材（図１）を最小限持つ事で済まされる。
【発明を実施するための最良の形態】
【００１７】以下、本発明の実施の形態を図１〜図５に基づいて説明する。【００１８】部材（図１）のイとハ両側に溶接棒を差込み、短く使いづらい溶接棒が従来通り、長い溶接棒となる。バーナー（Ｄ）・火力（Ｅ）により、腕手（Ｆ）が長い溶接棒によって、離れる事が出来た（図４）。【００１９】部材（図２）の溶接棒は、現在の定尺溶接棒の片方に、部材（図１）と同様の目的がはたせる加工をした事によって、部材（図１）を持ち歩く事なく容易に接続できる。【００２０】部材（図１・図２）は、現在の溶接棒と同じ材質、同等の加工がされているので、溶接棒と一緒に熔解していく（図５）。
【図面の簡単な説明】
【００２１】
【図１】本発明の斜体図である。
【図２】本発明の斜体図である。
【図３】現在の溶接作業状況図である。現在の接続作業では、溶接棒（１）が定尺の物であり、熔解されるにつれて、短くなっていく。それと同時に腕手（Ｆ）が、火力（Ｅ）により熱くなる。
【図４】本発明使用中の溶接作業状況である。短くなった溶接棒（１−１）を継続使用する事で、火（Ｅ）に対して、腕手（Ｆ）がとても近く熱い状態となる。そこで、接続部材（２）を使用することで、火（Ｅ）にまた一定以上の距離をとるようになる。
【図５】本発明使用中の溶接作業状況である。接続部材（２）は、溶接棒（１）と同じ材料を使用し、同等の加工がされているので、接続部材（２）そのものが熔解され、熔解された溶接棒と同じ効力をあらわす。
【符号の説明】
【００２２】
【図１】
イ：孔（溶接棒差込口片側）  ロ：接続部材  ハ：孔（溶接棒差込口片側）
【図２】
イ：孔（溶接棒差込口）  ロ：定尺の溶接棒の片方に、部材（図１）と同様の目的がはたせる加工をした溶接棒
【図３】
【図４】
【図５】
Ａ：高温時の冷媒管凸部  Ｂ：高温時の冷媒管凹部  Ｃ：熔解された溶接棒  Ｄ：冷媒管を暖める道具（高火力バーナー）  Ｅ：火  Ｆ：腕手  １：溶接棒・・空気調和工事及び冷媒管工事の時、冷媒管に熱を加え接続する時に使う固体の材料（ＪＩＳ銀ロウ・ＪＩＳリン銅ロウ）  １−１：短くなった溶接棒  ２：接続部材（図１）  ※１と２のはじめから一体の物が部材（図２）である。
【図１】
2006061982.tif 000003
【図２】
2006061982.tif 000004
【図３】
2006061982.tif 000005
【図４】
2006061982.tif 000006
【図５】
2006061982.tif 000007
(57)【要約】【課題】  一般に、開口部が小さい器に花、蝋燭、歯ブラシ、筆記用具及び箸等に代表される棒状物を差し込む場合は、棒状物と器の開口部との間の隙間が小さいため、均等にバランス良く差し込むことができる。しかしながら開口部が大きい器に棒状物を差し込む場合は、棒状物と器の開口部との間の隙間が大きいため、棒状物が大きく傾いてしまい、器の開口部の中央が空き、均等にバランス良く差し込むことができなかった。  本発明は、このような問題を改善し、開口部が大きい器にも、均等にバランス良く花、蝋燭、歯ブラシ、筆記用具及び箸等に代表される棒状物を差仕込むことができる棒状物用支持具を提供することを目的とする。【解決手段】  上述の目的を達成するために、器の開口部より大きい渦巻形状本体からなる棒状物用支持具を発明した。【選択図】  図１
2006061645.tif 000002
【特許請求の範囲】
【請求項１】
器の開口部より大きい渦巻形状本体からなり、その渦巻形状本体の渦巻の間隔を器の縁の厚さより大きくしておくことで、器の縁に係止する機能を具備したことを特徴とする棒状物用支持具。
【請求項２】
前記渦巻形状本体が渦巻形状の他、網目形状や波形状等といった線形状で構成可能な形状も含め形成されることを特徴とする請求項１記載の棒状物用支持具。
【発明の詳細な説明】
【技術分野】
【０００１】  本発明品は、開口部が大きい器に、花、蝋燭、歯ブラシ又は箸等に代表される棒状物を均等にバランス良く差し込むことができる棒状物用支持具に関するものである。
【背景技術】
【０００２】  一般に、開口部が小さな器に花、蝋燭、歯ブラシ、筆記用具及び箸等に代表される棒状物を差し込む場合は、棒状物と器の開口部との間の隙間が小さいため、均等にバランス良く差し込むことができる。しかしながら開口部が大きい器に棒状物を差し込む場合は、棒状物と器の開口部との間の隙間が大きいため、棒状物が大きく傾いてしまい、器の開口部の中央が空き、均等にバランス良く差し込むことができなかった。
【発明の開示】
【発明が解決しようとする課題】
【０００３】  本発明は上記問題を改善し、開口部が大きい器にも、均等にバランス良く花、蝋燭、歯ブラシ、筆記用具及び箸等に代表される棒状物を差し込むことができる棒状物用支持具を提供することを目的とする。
【課題を解決するための手段】
【０００４】  上述の目的を達成するために、器の開口部より大きい渦巻形状本体からなる棒状物用支持具を発明した。
【発明の効果】
【０００５】  本発明品は本発明者の体験により考案されたものであり、器の開口部より大きい渦巻形状本体からなる棒状物用支持具を装着することで、開口部が大きい器にも、均等にバランス良く花、蝋燭、歯ブラシ、筆記用具及び箸等に代表される棒状物を差し込むことができる。
【発明の実施するための最良の形態】
【０００６】  本発明の実施するための最良の形態を図面に基づいて説明する。
図１に示すように、器１の開口部２より大きい渦巻形状本体４からなり、その渦巻形状本休４の渦巻の間隔を器の縁の厚さより大きくしておくことで、器１の縁３に係止する。
【０００７】  渦巻形状本体４は、合成樹脂、ガラス、金属又は木等といった形状が維持可能な素材で形成される。
【０００８】  棒状物用支持具の使用時は、図２に示すように、器１の開口部２よりはみ出した部分が器１の縁３に簸かければ、器１に簡単に取り付けることができる。また、この棒状物用支持具を取り外すには、取り付ける時と逆の操作をするだけで良く、簡便に使用することができる。
【０００９】  また、棒状物用支持具は渦巻形状の他、網目形状や波形状等といった線形状で構成可能な形状も含め形成することができ、装飾品としても使用可能である。
【図面の簡単な説明】
【００１０】
【図１】棒状物用支持具の設置状況を示した平面図である。
【図２】棒状物用支持具の設置状況を示した断面図である。
【符号の説明】
【００１１】１・・・・・・器
２・・・・・・器の開口部
３・・・・・・器の縁
４・・・・・・渦巻形状本体
【図１】
2006061645.tif 000003
【図２】
2006061645.tif 000004
(57)【要約】【目的】大腸内視鏡の挿入を容易とし、大腸内視鏡の回腸、腔腸までの挿入を可能とする。【構成】本発明は大腸内視鏡用シースの壁を空洞としたシース筒１を注入管３と連結し、周囲に注入管３から送られてくる空気圧、もしくはオイル等の液体の圧によって伸び縮み出来る伸展側壁４を取り付け、伸展側壁４が伸び縮みする事で大腸内視鏡ファイバーを通すシース事体をさらに大腸の奥へ、奥へと移動させる事を可能にしたものであり、大腸内視鏡ファイバーの先端にリング状のストッパーを設けシースを大腸内視鏡ファイバーの先端より前方へ行かない様にすることで大腸内視鏡ファイバーそのものを一緒に奥へ進める事が出来、大腸内視鏡の挿入を容易とし、回腸、腔腸までの挿入を可能とした大腸内視鏡挿入用側壁伸展式移動シースである。又、同様のシースを注入管３で連結する事で前進の為の推進力を増す事が可能であり、内部は外部より遮断された構造で衛生を保つ事が出来る。【選択図】図５
2006061650.tif 000002
【特許請求の範囲】
【請求項１】
大腸内視鏡シースの周囲に注入管より送られてくる空気圧、もしくはオイル等の液体の圧によって伸び縮み出来る伸展側壁を取り付け奥へ前進してゆく事を可能とした大腸内視鏡シースであり、大腸内視鏡ファイバーの先端にストッパーを設けシースを大腸内視鏡ファイバーの先端より前方へ行かない様にすることで大腸内視鏡ファイバーそのものを一緒に奥へ進める事が出来る大腸内視鏡挿入用の移動式のシースである。
【発明の詳細な説明】
【発明の詳細な説明】
【０００１】  本発明は大腸内視鏡用のシースの周囲に空気圧、もしくはオイル等の液体の圧によって伸び縮み出来る伸展側壁を取り付け、伸展側壁が伸び縮みする事で大腸内視鏡ファイバーを通すシース事体をさらに奥へ、奥へと移動させる事を可能にしたものであり、大腸内視鏡ファイバーの先端にリング状のストッパーを設けシースを大腸内視鏡ファイバーの先端より前方へ行かない様にすることで大腸内視鏡ファイバーそのものを一緒に奥へ進める事が出来、回腸、腔腸までの挿入を可能とできる。
【０００２】従来より大腸内視鏡ファイバーの挿入は熟練の医師ですら時間を要し、患者に少なからず苦痛を強いるものとなっている。理由は大腸内視鏡ファイバーをある程度の力で外から押したり引っ張ったりしなければ奥へは進めない部位が少なからず存在するからであり、外から加える力が大腸内視鏡ファイバーの先端に伝えずらい事が原因となっている。近年ダブルバルーン式のファイバーが開発され小腸までの観察が可能となっているが、一般の大腸カメラ検査より遥かに長い時間と苦痛を患者に強いるものとなっていて、操作が煩雑で、外からの外力をかなり要し、ファイバーの進行に難渋している。
【０００３】本発明はこれらの問題を解決する為に発案されたものであり、図面について説明すれば、本発明のシースの壁の内部は空洞となっていて空気もしくはオイル等の液体で満たされており、注入管３を通して空気もしくはオイル等の液体が陽圧で送られてくると、その圧によりシース空洞部２に連結したスカート状の伸展側壁４の空洞部の内圧が上昇して伸展側壁４は伸展し、逆に注入管３より陰圧で引くと伸展側壁４は縮む。伸展側壁４は伸展性に富む弾性体で出来ており内部は空洞でシース空洞部２と連結され圧の変化により自由に伸び縮みする事ができる。伸展側壁４の伸び縮みによりシース筒１をさらに大腸の奥へ、奥へと移動させる事が可能であり、大腸内視鏡ファイバーの先端にリング状のストッパーを設けシース筒１を大腸内視鏡ファイバーの先端より前方へ行かない様にすることで大腸内視鏡ファイバーそのものを一緒に奥へ進める事が出来、回腸、腔腸までの挿入を可能とできる。又、同様のシースを注入管３で連結する事で前進の為の推進力を増す事が可能である。
【０００４】この様な構造であるから本発明の側壁伸展式移動シースは大腸内視鏡ファイバーの腸管壁に対する摩擦抵抗を軽減しながら挿入手技をより容易なものとし、腸管の奥への自動移動を行う事で、大腸内視鏡ファイバーの回腸、腔腸までの挿入を可能とできる。本案の側壁伸展式移動シースの内部は外部とは遮断された構造であり、大腸内視鏡ファイバーと同様に洗浄して使用する事が出来る。
【図面の簡単な説明】
【図１】本発明の平面図。
【図２】本発明の側面図。
【図３】本発明の正面図。
【図４】本発明の背面図。
【図５】本発明の平面の断面図。
【図６】本発明の斜視図。
【符号の説明】
１シース筒
２シース空洞部
３注入管
４伸展側壁
【図１】
2006061650.tif 000003
【図２】
2006061650.tif 000004
【図３】
2006061650.tif 000005
【図４】
2006061650.tif 000006
【図５】
2006061650.tif 000007
【図６】
2006061650.tif 000008
(57)【要約】      （修正有）【課題】訓練機能が歩行速度の調整だけでなく、訓練器を使用する歩行障害者の機能回復訓練内容や程度に応じた訓練機能が備わった水中歩行訓練器を提供する。【解決手段】本考案で示すように、海水、温水や温泉水などの水中で使用する歩行訓練器であって、その先端位置に水流をつくる水中攪拌扇または渦流ポンプからなる水中流速発生手段を取り付け、それより突出する水流速を調節できる構造としながら両側に平板な板からなる整流板を設ける。これにより腰や脚部に水平抗力成分を与え、訓練器使用者の必要とされる機能回復訓練内容とその程度に応じた最適な回復・増強効果を与える機能を有する医療回復器具で、このような訓練器により歩行障害の内容や程度に応じた機能回復訓練方法が選択可能な装置となる。【選択図】図１
2006061646.tif 000002
【特許請求の範囲】
【請求項１】
ベルト状歩行踏み板をもつ水中歩行訓練器とその先端部に流速を作る水中流速発生手段と水流速を使用者の治療部へ導く両側の整流板を取り付けた構造からなり、ベルト状歩行踏み板の速度調節機能だけではなく、先端部に取り付けた水中流速発生手段からの水流突出速度を調整して、使用者の腰部や脚部への水平抗力を調整することを可能させる機能を備え、海水、温水や温泉水などの水中で使用することを前提とする軽量・可般型の水中歩行訓練器である。
【発明の詳細な説明】
【技術分野】
【０００１】  本発明は身体健常者の腰部・脚部筋力向上の訓練のためや歩行機能低下や障害を持つ人の機能改善・回復のために水中で利用するための歩行訓練器で、運動機能増強装置またはリハビテーション用医療器具である。
【背景技術】
【０００２】  水中では人体腰部や脚部への重力荷重が軽減される原理を使い、使用者の訓練目的に合わせた状態で関節部への痛みを取り除いて歩行を促し、水中で脚力を使うことによって筋力の増強を図り、または減退を防ぐ健康医療器具に係わるもので、「水中トレッドミル」と称される器具がある。【０００３】  現存する水中歩行訓練用健康器具は、水中で使用可能であるがベルト上踏み板の移動速度のみが変えられだけの機能しか備えていない。【０００４】  本訓練装置は水中で使用することを前提としつつ、可般型で設置場所を選ばずに水中の水流速の調節によって使用者の体力や治療箇所に適するように水平方向抗力を変えて回復治療などが出来る機能を有する。また健常者の脚部筋力増強のため機能を有する。【０００５】  本装置には、流速を作る水中流速発生手段として水中撹拌扇または渦流ポンプが取り付けられ、その噴流速度を調整して本歩行訓練装置の使用者の疾病状況に応じて治癒させる最適な医療器具として提案するものである。【０００６】  以上のように、本発明は従来から活用されてきた温泉などを利用した温泉水治療効果を含め水中での歩行訓練が歩行能力回復や機能強化に多大な効能がある医療知識を基本としつつ、従来にはなかった水平抗力調整機能を持たせた水中歩行訓練装置である。
【発明の開示】
【発明が解決する課題】
【０００７】  従来から、歩行能力回復などに水中での歩行訓練が有効であることが知られている。その場合温泉など多量の温水などの用意された浴槽に相当する専用の訓練場所が必要とされる。この他狭隘な場所でも訓練が可能装置として、可般型水中歩行訓練器（商品名は水中トレッドミルなど）がある。しかし水平抗力調整機能が考慮されていない。
【０００８】  本発明は、このような従来の構成が欠落していた機能を補完する水中歩行訓練器を実現することを目的とするものである。
【課題を解決するための手段】
【０００９】  上記目的を達成するために水流発生手段を従来の水中歩行訓練器の前方に取り付け、歩行訓練程度に合わせて水流速度を調節可能とする構成となっている。
【００１０】  また本発明は、水中歩行訓練器のベルト上踏み板に沿って両側面に整流板を取り付け、水流発生手段で発生させた水勢を訓練者の脚部へ効率よく導く構造を持っている。
【００１１】  水中歩行訓練器の後方には特別な装置を設置しない構造となっている。
【００１２】  上記第１の課題解決手段による作用は次の通りである。すなわち、水中攪拌扇または渦流ポンプからなる水中流速発生手段を従来の水中歩行訓練器の前方に一体として取り付け、これにより発生させた水流を水中歩行訓練者の前方よりあてて、歩行訓練程度に合わせて水平抗力を調整することが可能となり、訓練効果を高めることが出来る。
【００１２】  第２の課題解決手段による作用は、水中流速発生手段からの水流を効率良く治療患部へ整流状態で送る整流板を装置する。これにより一様水流速度を構成し、その水平方向抗力の中で歩行訓練器を使用することで安定に水中歩行訓練を可能とするものである。
【発明の効果】
【００１３】  上述するように本発明の水中歩行訓練器に取り付けられた水中流速発生手段と整流板により、高い歩行機能改善効果を提供できる。
【００１４】  高齢者を対象とする介護予防用の医療機器として活用が期待できる。また、本訓練装置は障害者だけでなく、健常者の筋力向上トレーニング器具としても利用可能なものである。
【００１５】  また、その形状と構造の簡単のために水槽、プールや浴槽など形状・場所に拘わらずに容易に搬送・設置可能な水中歩行訓練器を提供する。
【発明の実施するための最良の形態】
以下、本発明の実施の形態を図１〜図２に基づいて説明する。
【００１６】  本発明の水中歩行訓練器の概観は図１及び図２である。水槽、プールや浴槽底部に従来からの水中歩行訓練器１を置く。この構成と一体とするように前方に水中流速発生手段として水中撹拌扇または渦流ポンプ２を取り付ける。また水流を効率良く治療患部へ導くための整流板３Ａ、３Ｂを装置一体となるように両側に設置する。
【００１７】  ４は水流速度を調整する防水型制御器で、５は水中歩行訓練器の踏み板１Ａの移動速度を調整する防水型制御器である。６は訓練者が両手で握る手摺りで、歩行訓練を行う際転倒などの事故を防ぐ。７は使用中歩行訓練器が床からずれないようにする固定器である。
【００１８】  ８Ａは１と５の間の防水型配線で、８Ｂは４と２の間の防水型配線である。９は本体１と水中流速発生手段２を固定する固定具である。
【図面の簡単な説明】
【００１９】
【図１】図１は本発明のモデル図で、上面より眺めた図である。
【図２】図２は本発明のモデル図で側面より見た図を示す。
【符号の説明】
【００２０】  １    水中歩行訓練器
１Ａ  水中歩行訓練器踏み板
２    水中流速発生手段
３Ａ、３Ｂ    整流板
４    水流速調整制御器
５    水中歩行訓練器踏み板速度制御器
６    水中歩行訓練器手摺り
７    滑り止め固定器
８Ａ、８Ｂ    防水型配線
９    水中流速発生手段取付け固定具
【図１】
2006061646.tif 000003
【図２】
2006061646.tif 000004
(57)【要約】【課題】  ポケット付き鞄はよく見かけるが、なかなか万人に使いやすい仕切りにはなっていませんでした。また他の鞄に持ち替える際にも、内容物を全て移すのも面倒で、鞄の種類を変えると鞄の中に内容物が散らばってしまうので、可動ポケット付き鞄仕切りを提供する。【解決手段】  ベース部材の芯材の上に着脱機構の付いたカバー体を設ける。その上着脱機構の付いた各サイズのポケットを任意の位置・角度にて取り付けることで、より有効に鞄内のスペースを利用することができる。また、一度ベース部材にポケットを取り付ければ、鞄を変えたとしても、そのまま移し替えることで、速やかな移し替えが可能となる。【選択図】  図１
2006061648.tif 000002
【特許請求の範囲】
【請求項１】
任意の鞄に収納するベース部材と、複数の小物入れと、該ベース部材と該小物入れを任意位置、任意角度で着脱させる着脱機構とよりなる小物収納具。
【請求項２】
ベース部材に着脱可能な取手をもうけたことを特徴とする請求項１記載の小物収納具。
【請求項３】
取手がベース部材の縦横で使えるものであることを特徴とする請求項２記載の小物収納具。
【発明の詳細な説明】
【技術分野】
【０００１】  本発明は、任意の鞄に収納される、持ち運び可能なポケット・仕切りである。
【背景技術】
【０００２】  従来の鞄には、固定のポケットが付いているが、鞄により仕切り・ポケットの形状に差異がある。
【発明の開示】
【発明が解決しようとする課題】
【０００３】  全ての鞄が必ずしも万人の使いやすい形状・大きさになっておらず、鞄を持ち替える際には収納物をひとつひとつ移し変える必要があり、鞄の中で重なり物がつぶれる等必要とするものがすぐに見つからない事がある。また収納の位置・方法も変えなければならなかった。
【課題を解決するための手段】
【０００４】  ベース部材の芯材の上に着脱機構の付いたカバー体を設ける。そして、着脱機構の付いた各サイズのポケットを任意の位置・角度にて取り付けられるようにする。
【発明の効果】
【０００５】  本発明は、鞄を持ち歩く状態でも鞄内の上面空間を有効に活用でき、位置調整や角度調整を可能にすることにより、より効果的に整理することができる。
取手を設けることにより、単独に鞄として持ち運ぶことが可能となる。
取手を縦横に脱着可能とすることにより、鞄の形状に合わせたり、単独で持ち運ぶ際に適した向きで利用することが可能となる。
【発明を実施するための最良の形態】
【０００６】  以下、本発明実施の形態を説明する。
イ）ベース部材（１）は、芯材（６）となるプラスチック板の表面に着脱機構となるカバー体（７）を設けたものである。カバー体は、面ファスナーが着脱できる素材よりなり、ベース部材（１）のまわりを、革・ナイロン・ビニール素材からなるバイアステープ（８）をまわりに、縫い付ける事により補強する。このベース部材は任意の鞄の収納部に収まる形状大きさよりなっている。
ロ）ベース部材（１）に縦横のそれぞれ辺付近にハトメ玉にて補強した１対の取手取り付け穴（４）を設ける。
ハ）革・ナイロン・ビニール素材からなる取手部材（３）の両端にアルミ・ステンレス素材からなる着脱リング（９）を取り付ける。
ニ）ハトメ玉にて補強した取手取り付け穴（４）に、取手部材（３）着脱リング（９）を取り付ける。
ホ）ベース部材（１）は、取手部材（３）を縦位置・横位置に変更することができる。
ヘ）異なる形状に、ナイロン・ビニール素材などの着脱収納機構付きポケット（５）を具備する。ポケット背面には面ファスナーが取り付けられている。
本発明は、以上の構成より成っている。
本発明を使用するときは、着脱収納機構付きポケット（５）をベース部材（１）に任意の位置に取り付ける。鞄内に収納した荷物が、カバー体（２）に着脱収納機付きポケット（５）が取り付けられているため、一目でどこに何が入っているか確認でき、どのような状態になっていても鞄内の下側に荷物が重なり合うことを避けることが可能となる。
鞄を持ち歩く状態でも鞄内の上面空間を有効に活用でき、位置調整や角度調整を可能にすることにより、より効果的に整理することができる。
取手を設けることにより、単独に鞄として持ち運ぶことが可能となる。
取手を縦横に脱着可能とすることにより、鞄の形状に合わせたり、単独で持ち運ぶ際に適した向きで利用することが可能となる。
【図面の簡単な説明】
【０００７】
【図１】本発明の斜視図
【図２】本発明の分解斜視図
【図３】本発明の使用状態を示す斜視図
【図４】本発明の使用状態
【図５】本発明の使用状態
【図６】拡大図
【図７】断面図
【符号の説明】
【０００８】１：ベース部材
２：着脱機構
３：取手部材
４：取手取付け穴
５：着脱機構付きポケット
６：芯
７：カバー体
８：バイアステープ
９：着脱リング
【図１】
2006061648.tif 000003
【図２】
2006061648.tif 000004
【図３】
2006061648.tif 000005
【図４】
2006061648.tif 000006
【図５】
2006061648.tif 000007
【図６】
2006061648.tif 000008
【図７】
2006061648.tif 000009